(57)【特許請求の範囲】
【請求項１】
グリップと、該グリップの前端に設けられるヘッドと、調節ネジとを備え、その内、該ヘッドは、該グリップの前端に延設される連接ブロックと、該連接ブロックの上部から前方に延設される固定ジョーと、該連接ブロックの前側上部及び固定ジョーの後側下部に凹設されると共に、両端が該連接ブロックの外端近傍及び内端近傍に延設される弧状凹部と、該弧状凹部の左右の側壁の中間位置に挿設されるピンと、該連接ブロックの中央近傍に形成される設置孔と、該連接ブロックの前面を上下方向に沿って切り欠くように凹設されると共に、後側が該設置孔の前側と連通する摺動溝とを備え、該調節ネジが上下方向に沿って回転可能に前記設置孔に設置される本体と、
摺動軸と、調節ヘッドとを備え、その内、該摺動軸は、細長形状を呈し、移動可能に前記ヘッドの摺動溝に挿設されると共に、後面の上下方向に前記調節ネジと噛合するラックが形成され、該調節ヘッドは、前記固定ジョーの下方に位置するように、該摺動軸の下部から延出すると共に、上面に形成され、垂直方向と前記調節ネジの軸方向との間が７度から１５度の角度を有する挟持面と、該挟持面の後側に凸設されると共に、該挟持面との間が１２０度の角度を有する当接面が設けられる当接凸部とからなる調節ジョーと、
摺動可能に前記弧状凹部に設置される弧状のブロック体であり、前端の一部が該弧状凹部の前側下方から突出し、後端近傍に形成され、前記ピンを受け入れる弧状のガイド孔と、内側面上部に設けられる挟持面と、該挟持面と隣接するように、その前端に設けられる押圧面と、該挟持面と押圧面との隣接する箇所に設けられるグリップ凸部と、前記ヘッドとの間に設置され、逆時計回りに付勢力を提供するばねとからなる顎部材と、を有し、
その内、前記摺動溝における、後側に前記設置孔の前側と連通する柱状溝部が形成されると共に、前側に前記弧状凹部と連通する板状溝部が形成され、また、該柱状溝部の幅は板状溝部より広く、
前記調節ジョーの摺動軸は前記柱状溝部に挿設され、該摺動軸の前面下部から前側へ延出するように前記板状溝部に挿設される連結板が設けられ、該連結板の上面における、前記弧状凹部と対応する箇所に窪み部が形成され、前記連結板の前面に調節ヘッドが設けられ、該調節ヘッドは、前記板状溝部の前側から突出し、
さらに、六角ボルトを前記顎部材と調節ジョーの調節ヘッドとの間に位置すると共に、該六角ボルトの下後側の傾面が当接面に当接する時、該六角ボルトの上面における、顎部材のグリップ凸部との接触位置は、該上面の後側から３０％乃至５０％前側に位置することを特徴とするモンキーレンチ。
【請求項２】
前記調節ヘッドにおける挟持面の前端にフック部が内側へ凸設され、該挟持面のフック部の後側に前凹部が凹設され、該挟持面と当接面との間に後凹部が凹設され、また、前記顎部材の内側面中央に上凹部が凹設されることを特徴とする請求項１に記載のモンキーレンチ。
【請求項３】
前記挟持面における前凹部の後側に、複数の脱落防止凹部が間隔をおいて次々に配列され、最前部の脱落防止凹部と最後部の脱落防止凹部との間に滑り止め凸部が設けられることを特徴とする請求項２に記載のモンキーレンチ。
【請求項４】
前記顎部材における内側面下部に前方へ設けられると共に、前記弧状凹部から突出する押圧凸部が設けられることを特徴とする請求項３に記載のモンキーレンチ。
【請求項５】
前記顎部材の内部に前記ガイド孔と対応するばね装着孔が形成され、該ばね装着孔の中間部分は該ガイド孔と連通し、
前記ばねは、前記ばね装着孔に設置され、その一端は該ばね装着孔の内端に当接し、他端は前記ピンに当接することを特徴とする請求項１乃至４のいずれか一項に記載のモンキーレンチ。
【請求項６】
前記弧状凹部の内壁中間部にばね収容孔が後方へ向かって凹設され、
前記顎部材における該ばね収容孔と対応する位置にばね装着孔が凹設され、
前記ばねがばね装着孔とばね収容孔との間に設置されることを特徴とする請求項１乃至４のいずれか一項に記載のモンキーレンチ。
【発明の詳細な説明】
【技術分野】
【０００１】
本発明は、特にサイズの異なるボルトに適用できるモンキーレンチに関するものである。
【背景技術】
【０００２】
従来のモンキーレンチ、例えば、アメリカの特許第６７３９２２３号の「回転軸調整式レンチ」は、固定顎部の内側に、弧状の移動レールが形成されると共に、レンチの回転方向と反対に回転する回転軸が設置され、この構成によれば、その回転軸は復位可能な構造であることから、上下移動可能な調節顎部を時計回りに回転させても、逆時計回りに回転させても、六角ボルトを挟持してしっかりと締め付けることができる。
【０００３】
従来のモンキーレンチは、時計回り或いは逆時計回りに回転できると共に、サイズが異なる各種の六角ボルトに適用できるが、レンチを逆時計回りに回転させると、その回転軸が移動レールに沿ってヘッドの内部に押し込まれ、この時、回転軸の回転方向がレンチの回転方向と反対になることから、レンチの回転操作に大きなスペースが必要となり、狭い場所においてうまく操作できないという問題があった。
【先行技術文献】
【特許文献】
【０００４】
【特許文献１】アメリカ特許第６７３０２２３号
【発明の概要】
【発明が解決しようとする課題】
【０００５】
しかしながら、従来の回転軸調整式レンチにおける移動顎部材には、六角ボルトを止めるための当接部が設けられていないことから、サイズが小さい六角ボルトを回転させる時、その特許の明細書の図８に示すように、該六角ボルトが固定顎部と調節顎部との間の深部に位置するので、レンチを回転させる時、六角ボルトの後側の角部が力を受けて破損することがあった。
【０００６】
さらに、従来の回転軸調整式レンチは、各角部を通過させるための凹部が設けられないので、一般的な六角ボルトを挟持する時、レンチを回転させると、角部が力を受けて破損する虞があった。
【課題を解決するための手段】
【０００７】
グリップと、該グリップの前端に設けられるヘッドと、調節ネジとを備え、その内、該ヘッドは、該グリップの前端に延設される連接ブロックと、該連接ブロックの上部から前方に延設される固定ジョーと、該連接ブロックの前側上部及び固定ジョーの後側下部に凹設されると共に、両端が該連接ブロックの外端近傍及び内端近傍に延設される弧状凹部と、該弧状凹部の左右の側壁の中間位置に挿設されるピンと、該連接ブロックの中央近傍に形成される設置孔と、該連接ブロックの前面を上下方向に沿って切り欠くように凹設されると共に、後側が該設置孔の前側と連通する摺動溝とを備え、該調節ネジが上下方向に沿って回転可能に前記設置孔に設置される本体と、
摺動軸と、調節ヘッドとを備え、その内、該摺動軸は、細長形状を呈し、移動可能に前記ヘッドの摺動溝に挿設されると共に、後面の上下方向に前記調節ネジと噛合するラックが形成され、該調節ヘッドは、前記固定ジョーの下方に位置するように、該摺動軸の下部から延出すると共に、上面に形成され、垂直方向と前記調節ネジの軸方向との間が７度から１５度の角度を有する挟持面と、該挟持面の後側に凸設されると共に、該挟持面との間が１２０度の角度を有する当接面が設けられる当接凸部とからなる調節ジョーと、
摺動可能に前記弧状凹部に設置される弧状のブロック体であり、前端の一部が該弧状凹部の前側下方から突出し、後端近傍に形成され、前記ピンを受け入れる弧状のガイド孔と、内側面上部に設けられる挟持面と、該挟持面と隣接するように、その前端に設けられる押圧面と、該挟持面と押圧面との隣接する箇所に設けられるグリップ凸部と、前記ヘッドとの間に設置され、逆時計回りに付勢力を提供するばねとからなる顎部材と、を有し、
前記摺動溝における、後側に前記設置孔の前側と連通する柱状溝部が形成されると共に、前側に前記弧状凹部と連通する板状溝部が形成され、また、該柱状溝部の幅は板状溝部より広く、
その内、前記調節ジョーの摺動軸は前記柱状溝部に挿設され、該摺動軸の前面下部から前側へ延出するように前記板状溝部に挿設される連結板が設けられ、該連結板の上面における、前記弧状凹部と対応する箇所に窪み部が形成され、前記連結板の前面に調節ヘッドが設けられ、該調節ヘッドは、前記板状溝部の前側から突出し、
さらに、六角ボルトを前記顎部材と調節ジョーの調節ヘッドとの間に位置すると共に、該六角ボルトの下後側の傾面が当接面に当接する時、該六角ボルトの上面における、顎部材のグリップ凸部との接触位置は、該上面の後側から３０％乃至５０％前側に位置するものである。
【０００８】
前記調節ヘッドにおける挟持面の前端にフック部が内側へ凸設され、該挟持面のフック部の後側に前凹部が凹設され、該挟持面と当接面との間に後凹部が凹設され、また、前記顎部材の内側面中央に上凹部が凹設されることが好ましい。
【０００９】
前記挟持面における前凹部の後側に、複数の脱落防止凹部が間隔をおいて次々に配列され、最前部の脱落防止凹部と最後部の脱落防止凹部との間に滑り止め凸部が設けられることが好ましい。
【００１０】
前記顎部材における内側面下部に前方へ設けられると共に、前記弧状凹部から突出する押圧凸部が設けられることが好ましい。
【００１１】
前記顎部材の内部に前記ガイド孔と対応するばね装着孔が形成され、該ばね装着孔の中間部分は該ガイド孔と連通し、
前記ばねは、前記ばね装着孔に設置され、その一端は該ばね装着孔の内端に当接し、他端は前記ピンに当接することが好ましい。
【００１２】
前記弧状凹部の内壁中間部にばね収容孔が後方へ向かって凹設され、
前記顎部材における該ばね収容孔と対応する位置にばね装着孔が凹設され、
前記ばねがばね装着孔とばね収容孔との間に設置されることが好ましい。
【発明の効果】
【００１３】
本考案に係るモンキーレンチは上記の構造を有することから、顎部材が弧状凹部の内壁を摺動する時、弧状凹部に沿って移動するので、顎部材の移動ルートがヘッドの回転方向と同一となる。故に、ヘッドを逆時計回りに回転させれば、最小の動作でヘッドを空回りさせて、レンチの回転をスムーズに行うことができる。
【００１４】
また、六角ボルトを挟持する時は、該六角ボルトの下後側の斜面を調節ジョーの当接面と当接することによって、該六角ボルトを顎部材と調節ジョーとの間の深過ぎない位置に位置決めし、即ち、該六角ボルトを最深部に位置させないと共に、顎部材のグリップ凸部が六角ボルトの上面の後側から３０％乃至５０％前側に位置でグリップさせるので、サイズの異なる各種の六角ボルトに適用できる。
【００１５】
さらに、本発明においては、六角ボルトを回転する時、該六角ボルトの各角部がそれぞれ、前凹部、後凹部、上凹部などに位置することから、使用者からの回転力が六角ボルトの角部に集中することはないので、六角ボルトの角部を破損を防ぐことができ、また、ヘッドが逆時計回りに空回りする時、六角ボルトの角部が前凹部を通過することから、ヘッド及び調節ジョーが六角ボルトから脱落しないように掛合することができる。
【図面の簡単な説明】
【００１６】
【図１】本発明に係るモンキーレンチにおける第一実施例の斜視図である。
【図２】本発明に係るモンキーレンチにおける第一実施例の部分拡大分解斜視図である。
【図３】本発明に係るモンキーレンチにおける第一実施例の部分拡大側面図である。
【図４】本発明に係るモンキーレンチにおける第一実施例の部分拡大側面図である。
【図５】本発明に係るモンキーレンチの第一実施例における移動挟持部材の部分拡大側面図である。
【図６】本発明に係るモンキーレンチの第一実施例において、ヘッドが逆時計回りに回転する状態を示す部分拡大側面図である。
【図７】本発明に係るモンキーレンチの第一実施例において、サイズの小さい六角ボルトを挟持する状態を示す部分拡大側面図である。
【図８】本発明に係るモンキーレンチの第一実施例において、サイズの小さい六角ボルトを挟持したまま逆時計回りに回転する状態を示す部分拡大側面図である。
【図９】本発明に係るモンキーレンチにおける第二実施例の部分拡大側面図である。
【発明を実施するための形態】
【００１７】
以下、添付図面を参照して本発明の適切な実施の形態を詳細に説明する。
【００１８】
図１乃至図５に示すように、本発明に係るモンキーレンチは、本体１０と、調節ジョー２０と、顎部材３０とを有し、該本体１０は、グリップ１１と、該グリップ１１の前端に設けられるヘッド１２と、調節ネジ１３と、ピン１４とを備え、その内、グリップ１１は、細長状を呈し、該ヘッド１２は、該グリップ１１の前端に延設され、前側端面が直線状にされるように、広幅の前部及び狭幅の後部を備える連接ブロック１２１と、該連接ブロック１２１の上部から前方に延設される固定ジョー１２２と、該連接ブロック１２１の前側上部及び固定ジョー１２２の後側下部に凹設されると共に、両端が該固定ジョー１２２の外端近傍及び内端近傍に延設される弧状凹部１２３と、該弧状凹部１２３の左右両側にそれぞれ設けられる側壁１２５と、該側壁１２５の中央近傍に形成される挿設孔１２６と、リベットのパンチ手段やボルトの螺合手段によって、該挿設孔１２６に挿設されるピン１２７とを備える。尚、前記弧状凹部１２３は、一つの円の一部或いは複数の異なる円の一部からなってもよい。
【００１９】
前記ヘッド１２における連接ブロック１２１の中央近傍に設置孔１２８が形成され、該設置孔１２８における上下側壁にそれぞれ、該連接ブロック１２１を貫通する位置決め孔１２８１が形成され、該連接ブロック１２１の前側端面の中段から下段において、上下方向に切り欠くように摺動溝１２９が凹設され、その摺動溝１２９における後側に該設置孔１２８の前側と連通する柱状溝部１２９１が形成され、その摺動溝１２９における前側に該弧状凹部１２３と連通する板状溝部１２９２が形成される。尚、前記柱状溝部１２９１の幅は板状溝部１２９２より広く設計されている。
【００２０】
前記調節ネジ１３は、上下方向に沿って回転可能に前記設置孔１２８に設置され、軸心を貫通する軸孔１３１を有し、前記ピン１４は、該調節ネジ１３の軸孔１３１を貫通して該位置決め孔１２８１に挿設され、この時、前記ヘッド１２の連接ブロック１２１の前側端面は、該調節ネジ１３及びピン１４の長手方向と平行する。
【００２１】
前記調節ジョー２０は、摺動軸２１と、連結板２２と、窪み部２３と、調節ヘッド２４とを有し、該摺動軸２１は、細長形状を呈し、移動可能に前記ヘッド１２の摺動溝１２９の柱状溝部１２９１に設置されると共に、後面に上下方向に沿ってラック２１１が設けられ、該ラック２１１は、前記設置孔１２８の前側に位置しながら前記調節ネジ１３と噛合される。尚、この構造によれば、調節ネジ１３を回転させると、ラック２１１を上下方向に沿って移動させることによって、調節ジョー２０を上下に移動させることができる。
【００２２】
前記連結板２２は、前記摺動軸２１の前面下部から前側へ延出するように移動可能に前記板状溝部１２９２に挿設され、前記窪み部２３は、該連結板２２の上面における、前記弧状凹部１２３と対応する箇所に凹設される。このような窪み部２３を用いれば、調節ジョー２０を上側へ移動させる時、連結板２２が弧状凹部１２３に突出しないので、本発明に係る調整可能レンチで六角頭ボルトを挟持する時、連結板２２と六角頭ボルトとの衝突をすることを防ぐ。
【００２３】
前記調節ヘッド２４は、前記板状溝部１２９２の前側から延出するように前記連結板２２の前面に設けられ、長手方向が前後に延出するブロックであり、前記固定ジョー１２２の下方に位置し、上面に挟持面２４１が形成される。尚、その挟持面２４１の垂直方向と前記調節ネジ１３の軸方向との間に既定の角度を有し、その角度は、７度から１５度までの範囲としてもよく、９度から１１度までの範囲としてもよく、本実施例では、１０度の角度とする（図４の如く）。
【００２４】
また、前記調節ヘッド２４における、挟持面２４１の前端にフック部２４２が内側へ突出するように凸設され、該挟持面２４１のフック部２４２の後側に前凹部２４３が凹設され、該挟持面２４１における前凹部２４３の後側に、複数の脱落防止凹部２４４が間隔をおいて次々に配列され、最前部の脱落防止凹部２４４と最後部の脱落防止凹部２４４との間に滑り止め凸部２４４１が設けられ、該挟持面２４１の後側に当接凸部２４５が凸設され、該当接凸部２４５の前側に当接面２４５１が設けられ、該当接面２４５１と挟持面２４１との間に１２０度の角度を有し、該挟持面２４１と当接面２４５１との間に後凹部２４６が凹設される。
【００２５】
前記顎部材３０は、弧状のブロック体であり、外壁が該弧状凹部１２３と対応し、該弧状凹部１２３の内壁に沿って摺動可能に前記弧状凹部１２３内に設置され、また、前端の一部は該弧状凹部１２３の前側下方から突出するように前記調節ヘッド２４の後側上方に位置すると共に、後端は該弧状凹部１２３の下側内端に位置し、後端近傍にやや湾曲するカプセル状のガイド孔３１が形成され、そのガイド孔３１に前記ピン１２７を挿入することにより、該顎部材３０を移動可能な状態で弧状凹部１２３に嵌め込む。
【００２６】
更に、前記顎部材３０における、内側面下部に前方へ設けられるように、前記弧状凹部１２３から突出する押圧凸部３２が凸設されると共に、内側面上部に挟持面３３が設けられ、該挟持面３３と隣接するように、その前端に押圧面３４が設けられ、該押圧面３４における端面は、上前方から下後方へ斜めに形成され、該挟持面３３と押圧面３４との隣接する箇所にグリップ凸部３５が設けられ、該顎部材３０の内部に前記ガイド孔３１と対応するばね装着孔３６が形成され、該ばね装着孔３６の中間部分は該ガイド孔３１と連通し、該ばね装着孔３６にばね３７が設置され、該ばね３７の両端は、ばね装着孔３６の内端とピン１２７と当接し、該顎部材３０における内側面における該挟持面３３の内側後側と押圧凸部３２との間に上凹部３８が凹設される。
【００２７】
図３に示すように、本発明に係るモンキーレンチの第一実施例においては、各種の六角ボルト４０が顎部材３０と調節ジョー２０の調節ヘッド２４との間に位置すると共に、該六角ボルト４０の上面及び下面がグリップ凸部３５及び挟持面２４１に当接した時、六角ボルト４０の下面は、調節ヘッド２４の当接面２４５１に当接され、また、六角ボルト４０の上面における、顎部材３０のグリップ凸部３５との接触位置は、該上面の後側から３０％乃至５０％前側に位置する。
【００２８】
この構成によれば、サイズの大きい六角ボルト４０における下前側の角部が移動顎２４の前凹部２４３に位置し、一方サイズの小さい六角ボルト４０における下前側の角部が1つの脱出止め凹部２４４に位置し、また、各種の六角ボルト４０における下後側の角部が移動顎２４の後凹部２４６に位置し、各種の六角ボルト４０における上後側の角部が顎部材３０の上凹部３８に位置する。
【００２９】
更に、前記第一実施例では、弧状凹部１２３の下方と対応するように、連結板２２の上面に下側へ向かって窪み部２３が凹設されることから、調節ジョー２０が上方へ移動して六角ボルト４０により顎部材３０が押圧されて時計回りに回転すると、顎部材３０の下端が窪み部２３に位置する。これにより、顎部材３０が下方へ移動してもその下端が調節ジョー２０の連結板２２と接触しない。一方、前記調節ジョー２０は、最上部まで移動しても顎部材３０と接触しないのであれば、上面に窪み部２３を設置しなくてもよい。この場合、連結板２２は通常、上下方向の幅が狭いことから、板体の強度が低下するという問題があるが、連結板２２の上下方向の幅を増加させて板体の強度を向上させることができる。尚、ここでは、連結板２２の形状を制限することはしない。
【００３０】
図１及び図３に示すように、本発明に係る第一実施例を用いる時は、使用者が本体１０のグリップ１１を持ち、六角ボルト４０を顎部材３０と調節ジョー２０との間に位置させてから、調節ネジ１３を回転させて調節ジョー２０を上下方向に調整することにより、六角ボルト４０の上面及び下面を調節ヘッド２４の挟持面２４１及び顎部材３０のグリップ凸部３５に当接させると共に、六角ボルト４０の下後側の斜面を当接面２４５１に当接させる。また、六角ボルト４０を挟持する時は、六角ボルト４０の上後側の斜面を顎部材３０の押圧凸部３２に当接させることから、六角ボルト４０が顎部材３０を押圧して逆時計回りに回転させることにより、グリップ凸部３５を六角ボルト４０の上面に当接させるので、六角ボルト４０をしっかりと挟持することができる。
【００３１】
本発明に係るモンキーレンチは、サイズの異なる各種の六角ボルト４０に適用できるものとして開発され、特に本実施例は、サイズが８ｍｍ乃至１９ｍｍの六角ボルト４０に適用できる。
【００３２】
本発明に係るモンキーレンチは、調節ヘッド２４の挟持面２４１の垂直方向と調節ネジ１３の軸方向との角度を７度乃至１５度の範囲とした場合、調節ヘッド２４の当接面２４５１を六角ボルト４０の下後側の斜面に当接させて六角ボルト４０を位置決めする。故に、本発明により、サイズが８ｍｍ乃至１９ｍｍの間にある１つの六角ボルト４０を挟持する時は、顎部材３０のグリップ凸部３５が六角ボルト４０の上面における後側から３０％乃至５０％前側にグリップすることができるが、ヘッド１２を逆時計回りに回転させる時には、六角ボルト４０とグリップ凸部３５との接触位置がやや後側へ移動することから、六角ボルト４０の上面前側により顎部材３０を押して時計回りに回転させる。この時、前記顎部材３０のグリップ凸部３５が六角ボルト４０の上面との接触位置は、該上面の前端（前記後側から３０％乃至５０％の位置）を超えることはないことから、顎部材３０はその範囲内に止まり、ヘッド１２が時計回りに回転できないという問題が起きないので、顎部材３０と調節ヘッド２４とを適当に調整すれば、サイズの異なる各種の六角ボルト４０に適用することができる。
【００３３】
本発明に係るモンキーレンチを用いて六角ボルト４０を時計回りに回転させる時は、先ず調節ヘッド２４の挟持面２４１に六角ボルト４０の下面を当接させると共に、顎部材３０のグリップ凸部３５が六角ボルト４０の上面の後側から３０％乃至５０％前側にグリップし、グリップ１１を時計回りに回転させれば、六角ボルト４０を時計回りに回転させることができる。尚、この回転の過程においては、六角ボルト４０における角部が前凹部２４３、後凹部２４６、上凹部３８などに位置することから、使用者からの回転力が六角ボルト４０の角部に伝わらないので、六角ボルト４０の角部が破損することはない。
【００３４】
一方、本発明に係るモンキーレンチを用いてヘッド１２を逆時計回りに空回りさせると、図６に示すように、グリップ１１が逆時計回りに回転し、六角ボルト４０の上側の外周面の前側が顎部材３０の押圧面３４に当接すると共に、顎部材３０が時計回りに回転し、その後、顎部材３０がばね３７を押圧しながら弧状凹部１２３に入り込みながら、弧状凹部１２３の内壁に沿って摺動するので、ヘッド１２を逆時計回りに回転する過程において、最小の動作でヘッド１２を空回りさせることができる。
【００３５】
また、前記ヘッド１２を逆時計回りに空回りさせると、六角ボルト４０の角部が前凹部２４３を通過することから、該ヘッド１２及び調節ジョー２０から六角ボルト４０を脱落しないように掛合することができると共に、六角ボルト４０の他の角部が上凹部３８及び後凹部２４６が通過するので、六角ボルト４０の角部が破損しないように、六角ボルト４０の角部を保護することができる。そして、前記ヘッド１２の逆時計回りの回転が終わると、ヘッド１２を再度時計回りに回転し、顎部材３０のグリップ凸部３５及び調節ヘッド２４の挟持面２４１が再び六角ボルト４０の上面及び下面に当接すると共に、当接面２４５１が六角ボルト４０の下後側の斜面に当接することから、ヘッド１２を時計回りに回転させて六角ボルト４０を締め付けることができる。
【００３６】
図７に示すように、本発明に係るモンキーレンチにおける第二実施例を、直径のサイズが通常より小さい六角ボルト４０Ａに使用する時は、先ず六角ボルト４０Ａを顎部材３０と調節ジョー２０との間に位置させ、調節ネジ１３を回転させて調節ジョー２０を上下方向に沿って移動させることにより、六角ボルト４０Ａの上面及び下面を調節ヘッド２４の挟持面２４１及び顎部材３０のグリップ凸部３５に当接させると共に、六角ボルト４０の下後側の斜面を当接面２４５１に当接させる。この構成によれば、この時、当接面２４５１を介して六角ボルト４０を阻止することから、六角ボルト４０Ａが後方へ移動し過ぎることを防ぐことができる。また、第二実施例において、前記顎部材３０のグリップ凸部３５の六角ボルト４０Ａの上面との接触位置は、第一実施例よりやや前側となるが、第一実施例と同じ範囲内に位置することにより、ヘッド１２を逆時計回りに回転させる時、六角ボルト４０Ａを介して顎部材３０を押圧しながら、該顎部材３０を時計回りに回転させて弧状凹部１２３に押し込むことができる。
【００３７】
一方、前記六角ボルト４０Ａを時計回りに回転させると、調節ヘッド２４の挟持面２４１が六角ボルト４０の下面に当接すると共に、顎部材３０のグリップ凸部３５が六角ボルト４０Ａの上面の後側から３０％乃至５０％前側にグリップすることから、前記ヘッド１２を時計回りに回転させれば、六角ボルト４０Ａを時計回りに回転させることができる。また、この回転の過程においては、六角ボルト４０Ａの角部が脱落防止凹部２４４、後凹部２４６、上凹部３８などに位置することから、使用者からの回転力は六角ボルト４０Ａの角部に伝わらないので、六角ボルト４０Ａの角部が破損することはない。
【００３８】
また、図７及び図８に示すように、本発明に係るモンキーレンチを用いてヘッド１２を逆時計回りに空回りさせると、グリップ１１が逆時計回りに回転し、六角ボルト４０Ａの上面の前側が顎部材３０の押圧面３４に当接すると共に、該顎部材３０が時計回りに回転して顎部材３０がばね３７を押圧しながら弧状凹部１２３に入り込みながら、顎部材３０が弧状凹部１２３の内壁に沿って摺動するので、ヘッド１２が回転する過程において、最小の動作でヘッド１２を空回りさせることができる。
【００３９】
上述したように、前記ヘッド１２を逆時計回りに空回りさせると、六角ボルト４０の角部が脱落防止凹部２４４を通過することから、該ヘッド１２及び調節ジョー２０が六角ボルト４０Ａから脱落しないように掛合することができると共に、該六角ボルト４０Ａの他の角部が上凹部３８及び後凹部２４６を通過することができるので、該六角ボルト４０Ａの角部が破損しないように、該六角ボルト４０Ａの角部を保護することができる。そして、前記ヘッド１２の逆時計回りが終わると、ヘッド１２が再度時計回りに回転し、顎部材３０のグリップ凸部３５及び調節ヘッド２４の挟持面２４１が再び六角ボルト４０Ａの上面及び下面に当接すると共に、当接面２４５１が六角ボルト４０Ａの下後側の斜面に当接することから、該ヘッド１２を時計回りに回転すれば六角ボルト４０Ａを締め付けることができる。
【００４０】
本発明に係る第一実施例においては、ばね３７が顎部材３０のばね装着孔３６に取り付けられ、その両端は、ばね装着孔３６の内壁及びピン１２７に当接させる。この構成によれば、六角ボルト４０により顎部材３０が押圧されて弧状凹部１２３に押し込まれると、該ばね３７の付勢力によって、顎部材３０を復位させる。尚、前記ばね３７は、顎部材３０とヘッド１２の弧状凹部１２３との間に取り付けられて、ばね３７の付勢力によって復位させてもよい。
【００４１】
図９に示すように、本発明に係る第二実施例は、弧状凹部１２３の内壁中間にばね収容孔１２４が後方へ向かって凹設され、顎部材３０における、ばね収容孔１２４の前方と対応する位置に、ばね装着孔３６Ａが凹設される。尚、前記ばね３７は、ばね装着孔３６Ａとばね収容孔１２４との間に設置されてもよい。この構成によれば、ヘッド１２を逆時計回りに回転させ、六角ボルト４０が顎部材３０を押圧して弧状凹部１２３に押し込むと、そのばね３７の付勢力によって、顎部材３０が復位する。
【００４２】
本発明に係るモンキーレンチにおける第二実施例は、上述した第一実施例と異なるところはあるが、使用上の稼動方式や効果などは同一であることから、その説明を省略する。
【産業上の利用可能性】
【００４３】
上述したように、本発明に係るモンキーレンチは、顎部材及び調節ジョーが六角ボルトを挟持する時に、グリップ顎部材のグリップ凸部を六角ボルトの上面に当接すると共に、調節ジョーの当接凸部を六角ボルトの後下部の斜面に当接することから、サイズの異なる各種の六角ボルトにも適用でき、また、グリップ顎部材が弧状凹部に沿って移動することから、レンチを逆時計回りに回転させれば、最小の動作でレンチをスムーズに回転させることができ、さらに、調節ジョー及び顎部材の内周面にそれぞれ複数の凹部が形成されることから、六角ボルトの角部が脱落しないように位置させるので、使用上の利便性や実用性に優れている。
【符号の説明】
【００４４】
１０          本体
１１          グリップ
１２          ヘッド
１２１        連接ブロック
１２２        固定ジョー
１２３        弧状凹部
１２４        ばね収容孔
１２５        側壁
１２６        挿設孔
１２７        ピン
１２８        設置孔
１２８１      位置決め孔
１２９        摺動溝
１２９１      柱状溝部
１２９２      板状溝部
１３          調整ネジ
１３１        軸孔
１４          ピン
２０          調節ジョー
２１          摺動軸
２１１        ラック
２２          連結板
２３          窪み部
２４          調節ヘッド
２４１        挟持面
２４２        フック部
２４３        前凹部
２４４        脱落防止凹部
２４４１      滑り止め凸部
２４５        当接凸部
２４５１      当接面
２４６        後凹部
３０          グリップ顎部材
３１          ガイド孔
３２          押圧凸部
３３          挟持面
３４          押圧面
３５          グリップ凸部
３６、３６Ａ  ばね装着孔
３７          ばね
３８          上凹部
４０、４０Ａ  六角ボルト
【図１】
0005487514.tif 000002
【図２】
0005487514.tif 000003
【図３】
0005487514.tif 000004
【図４】
0005487514.tif 000005
【図５】
0005487514.tif 000006
【図６】
0005487514.tif 000007
【図７】
0005487514.tif 000008
【図８】
0005487514.tif 000009
【図９】
0005487514.tif 000010